(57)【要約】【課題】  印刷された印刷媒体シートの全幅走査カラー解析のための全幅アレイ分光光度計を提供する。【解決手段】  本発明の分光光度計は、プリンタ用紙経路を移動する印刷された印刷媒体シートにわたって横方向に延出する横方向照射バンドを複数色の発光で連続的に照射するために該プリンタ用紙経路を横方向に実質的にわたるように、実質的に線形的に十分に延出する少なくとも４色の異なる色の複数回繰り返されるパターンにおいて複数の異なる色を発光する近接配置された多数のＬＥＤ照明源を含む少なくとも１つの略線形の長形照射アレイと、複数の異なる色を発光する近接配置された複数の該ＬＥＤ照明源を含む少なくとも１つの略線形の該アレイに隣接し、該アレイに略平行に延出する複数の近接配置された複数色光検出器を含む長形アレイを含む全幅アレイ光画像化バーと、を有する。該光画像化バーは、該用紙経路を移動する該印刷媒体シートにわたって横方向に延出する該横方向照射バンドから反射された光を受光するように位置付けられる。【選択図】        図１
2005315883.tif 000002
【特許請求の範囲】
【請求項１】
印刷された印刷媒体シートの全幅走査カラー解析のための全幅アレイ分光光度計であって、
該全幅アレイ分光光度計は、
プリンタ用紙経路において移動する印刷された印刷媒体シートにわたって横方向に延出する横方向照射バンドを複数色の発光で連続的に照射するために該プリンタ用紙経路を横方向に実質的にわたるように、実質的に線形的に(linear dimension)十分に延出する少なくとも４色の異なる色の複数回繰り返されるパターンにおいて複数の異なる色を発光する近接配置された複数のＬＥＤ照明源を含む少なくとも１つの略線形の長形照射アレイと、
複数の異なる色を発光する近接配置された複数の前記ＬＥＤ照明源を含む少なくとも１つの略線形の前記長形照射アレイに隣接し、該長形照射アレイと略平行に延出する複数の近接配置された複数色光検出器を含む長形アレイを含む全幅アレイ光画像化バーと、
を含み、
前記プリンタ用紙経路を移動する前記印刷媒体シートにわたって横方向に延出する前記横方向照射バンドから反射された光を受光するように、前記光画像化バーが位置付けられる、
印刷された印刷媒体シートの全幅走査カラー解析のための全幅アレイ分光光度計。
【請求項２】
前記プリンタ用紙経路において移動する印刷された印刷媒体用紙にわたって横方向に延出する横方向照射バンドを複数色で連続的に照射するために該プリンタ用紙経路を横方向に実質的にわたるように、実質的に線形的に十分に延出する複数の異なる色を発光する近接配置された複数のＬＥＤ照明源を含む２つの略線形のアレイを含み、
複数の異なる色を発光する近接配置された複数のＬＥＤ照明源を含む２つの略線形の前記アレイが、前記全幅アレイの光画像化バーの反対側に取り付けられ、前記プリンタ用紙経路を移動する前記印刷媒体シートにわたって横方向に延出する同一の前記横方向照射バンドを照射するように方向付けられる、
請求項１に記載の、印刷された印刷媒体シートの全幅走査カラー解析のための全幅アレイ分光光度計。
【請求項３】
全幅アレイの前記光画像化バーが、３列又は４列の異なる色でフィルタ処理された複数の近接配置された前記光検出器を有する、請求項１に記載の印刷された印刷媒体シートの全幅走査カラー解析のための全幅アレイ分光光度計。
【請求項４】
複数の異なる色を発光する近接配置された複数のＬＥＤ照明源を含む略線形の前記長形アレイが、プリンタ用紙経路を移動する印刷された印刷媒体シートにわたって横方向に延出する横方向照射バンドを複数色を発光させて連続的に照射するために前記プリンタ用紙経路を横方向に実質的にわたるように、実質的に線形的に十分に延出する少なくとも４色の異なる色の複数回繰り返されるパターンであり、近接配置された複数のＬＥＤ照明源を含む略線形の該長形アレイに沿って延出する少なくとも４色の異なる色の複数回繰り返されるパターンで連続的に照射される、請求項１に記載の印刷された印刷媒体シートの全幅走査カラー解析のための全幅アレイ分光光度計。
【請求項５】
全幅アレイ分光光度計による、検査対象経路において横方向に延出するカラー検査対象の全幅走査カラー解析の方法であって、
該方法は、少なくとも３つの異なる色のＬＥＤの複数回繰り返されるパターンにおける複数の異なる色を発光する近接配置された複数のＬＥＤ照明源を含む少なくとも１つの略線形の長形アレイを連続的に照射することを含み、
近接配置された複数の照明源を含む略線形の前記長形アレイが、少なくとも３つの異なる色のＬＥＤの繰り返される前記パターンにおいて、前記検査対象経路のカラー検査対象の横方向照射バンドを連続的に照射するために該検査対象経路の横方向にわたり、
前記方法は、複数の照明源を含む少なくとも１つの略線形の長形アレイに平行に取り付けられる長形光画像化バーで連続的に照射される前記横方向照射バンドから反射された光を検出し、解析することを含み、
前記光画像化バーが、複数の近接配置された異なる色の光検出器を含む平行で対応する長形アレイを含む、
全幅アレイ分光光度計による、検査対象経路において横方向に延出するカラー検査対象の全幅走査カラー解析の方法。
【請求項６】
全幅アレイ分光光度計によるカラー・プリンタ経路を移動するカラー印刷シートの完全横方向走査カラー解析の方法であって、
該方法は、
カラー・プリンタ経路を移動するカラー印刷シートにわたって横方向に延出する横方向照射バンドを複数色の発光で連続的に照射するために該カラー・プリンタ経路を横方向に実質的にわたるように、略線形的に十分に延出する異なる色の複数回繰り返されるパターンにおける、複数の異なる色を発光する近接配置された複数のＬＥＤ照明源を含む少なくとも１つの略線形の長形アレイを連続的に照射し、
複数の異なる色を発光する近接配置された複数のＬＥＤ照明源を含む少なくとも１つの略線形の前記長形アレイに隣接し、該アレイに略平行に延出する複数の近接配置された複数色光検出器を含む長形アレイを含む、全幅アレイの光画像化バーで連続的に照射される前記バンドからの反射光を検出する、
方法であって、
前記画像化バーは、用紙経路を移動する印刷媒体シートの全体にわたって横方向照射バンドから反射された光を受光するように位置付けられる、
全幅アレイ分光光度計によるカラー・プリンタ経路を移動するカラー印刷シートの完全横方向走査カラー解析の方法。
【発明の詳細な説明】
【技術分野】
【０００１】
本発明は、（グレー・スケール解析を含む）高速オン−ライン・ドキュメント・カラー解析に好適な全幅アレイ・カラー分光光度計測走査システムに関する。該システムは、少なくとも１つの全幅アレイ複数色照射システム、および、低コストの全幅アレイ画像化バーを使用した全幅アレイ複数色光検出システムを含む。
【背景技術】
【０００２】
カラー・プリンタのプリント出力の測定および制御のためのオン−ライン・システムを含む、種々のタイプのカラー分光光度計測システムが従来から知られている。例えば、特許文献１（フレッド  Ｆ．ハッブル３世ら、「変位無感応性光学によるカラー・プリンタ制御用分光光度計」、２００２年５月７日）、特許文献２（フレッド  Ｆ．ハッブル３世ら、「カラー・プリンタのカラー制御システムのための角度、方位、および、変位無感応性分光光度計」、２００３年１０月１４日）、特許文献３（フレッド  Ｆ．ハッブル３世ら、「カラー・プリンタ・オン−ライン分光光度計測制御システムのための診断法」、２００３年１０月２８日）、特許文献４（リンギャッパ  Ｋ．メスサ、「分光光度計測自動校正システムを備えたカラー・プリンタのカラー制御システム」、２００２年２月２６日）、特許文献５（リンギャッパ  Ｋ．メスサ、「デュアル・モード・バナー・カラー試験シートを用いたカラー・プリンタのカラー制御システム」、２００３年３月２５日）、および、米国特許出願第１０／７５８，０９６号（リンギャッパ  Ｋ．メスサら、「ＬＥＤカラー・センサからの測定値を用いてスペクトルを得るための基準データベースおよび方法、および、基準データベースを生成する方法」、２００４年１月１６日出願）などである。
【０００３】
例えば、特許文献６（ジャグディシュ  Ｃ．タンドンおよびリンギャッパ  Ｋ．メスサ、「カラー・プリンタのカラー制御システムのためのカラー画像化バーに基づく分光光度計」、２００４年２月１０日、ゼロックス社所有）、および、特許文献７（ジャグディシュ  Ｃ．タンドンおよびリンギャッパ  Ｋ．メスサ、「カラー・プリンタのカラー制御システムのためのカラー画像化バーに基づく分光光度計」、２００３年９月１６日、ゼロックス社所有）もある。
【０００４】
前述の現在のスキャナ特性には解決されるべき少なくとも２つの問題が存在する。
（１）ユーザは、特定の印刷媒体および特定のインク（ここでは、液体若しくは固体のインクやトナーを広く包含する）に応じて所与の走査を処理するための正確なプロファイルを選択しなければならないことがある。
（２）正確なプロファイルが選択されたときでも、スキャナのカラー補正システムに好ましくないエラーを生じさせるために十分な変動を、所与の印刷媒体クラス内においても、入力マテリアルが有する場合がある。
【０００５】
最近の調査では、５０％を越えるユーザが、正確なプロファイルを選択することができない写真プリンタ、オフセット・プリンタ、及びインクジェット・プリンタのプリントを検討することによって、媒体を識別することを要求していた。不正確なスキャナ・プロファイルを選択することから生じるエラーは、無視できないことがある。スキャナが写真用媒体に対して修正され、テスト走査もまた、同一の媒体に対して行われた場合、２６４個のパッチの検査セットに対する平均スキャナ修正誤差がΔＥ＝０．９５であり得ることが認識された。スキャナがリソグラフィック媒体に対して修正され、テスト走査が写真用媒体に対して行われた場合、誤差はΔＥ＝４．６８に増大する可能性がある。画像の検査は、不正確なプロファイルの使用の結果生じる好ましくない色かぶりを示している。正確なプロファイルが選択されたときでも、スキャナのカラー補正に好ましくないエラーを生じさせるために十分な変動を、所与の印刷媒体クラス内においても、入力マテリアルが有する場合がある。
【０００６】
上記に鑑み、米国特許出願第１０／０９３，２２０号（ラジャ・バラスブラマニアン、リンギャッパ  Ｋ．メスサおよびロバート  Ｊ．ロールストン、「媒体自動識別用スペクトル・センサ、およびスキャナ修正の改善」、２００３年３月６日は、走査較正システムを提案している。この技術は、スキャナに取り付けられる分光光度センサを使用する。画像が走査された後で、走査アプリケーション内で、画像処理ユニットは、以下の２つの基準（ｉ）および（ｉｉ）のいずれかを満たす画像内部の小さなセット（例えば１０個）の位置を探すために画像を分析する。
（ｉ）平滑に変動する領域である。
（ｉｉ）色は互いに充分に区別され、該色は適切に色空間にわたる。
【０００７】
これらの位置は、次に、それぞれの位置でスペクトルを測定する分光光度センサを駆動するために使用される。測定値は、カラー補正を改善するために、走査される特定の画像に対して使用される。個々の色／画素が分光光度計を使用して較正できる場合、これらの出力は装置および媒体に依存しないことがある。システムがスキャナを較正するためのイン−ライン分光光度計の使用と関連している場合であっても、大きすぎたり、個々の画素を較正するためには遅すぎたり、また、他の特徴があるという理由で、結果として汎用の全幅アレイ走査分光光度計がもたらされないこともあると考えられる。
【０００８】
本発明者らは、上記特許文献７において述べられたように、（画像化アレイ又は画像化バーで使用されるような）多数のフォト−サイトを備えたカラー画像センサ・チップについて開示している。さらに、特許文献８（ジャグディシュ  Ｃ．タンドンら、「カラー画像化バーに基づく分光光度計光検出器の光学的方位」、２００３年４月２９日）、特許文献９（ジャグディシュ  Ｃ．タンドンら、「同時複数色解析分光光度計」、２００３年５月２０日）は、高速および低コスト分光光度計の実施のための検出器／データ取得アセンブリについて記載している。本明細書中に開示される全幅アレイ分光光度計の実施の形態では、例えば、特許文献７に記載されているように、光検出器およびカラー・フィルタを有する接着された複数のカラー画像バー・チップから形成される全幅アレイ光検出器アセンブリ画像化バーを使用することもできる。しかしながら、本明細書中に開示される照射システムは特許文献７のシステムと同一ではない。
【０００９】
場合によってはリアル・タイムでドキュメント全体にわたってスペクトル測定をする必要がある。これに対し、ゼロックスおよび他のドキュメント・スキャナで使用されるような全ドキュメント幅カラー画像化（画像センサ）バーに基づく低コスト走査分光光度計が本明細書中に開示されている。特許文献７において記載されているように、商業用大量生産型の低コスト・ドキュメント画像化バーは、複数の個々のチップから構成され、各チップは、多くの非常に小さく且つ近接配置されたフォト−サイトを有する。各チップの長さは約１６ｍｍである。一般に、各チップは、赤、緑、および青のために各々が一体式カラー・フィルタによって製造された３列を含むフォト−サイトを有する。特許文献７に記載されている分光光度計は、光検出器として該チップを使用する。各チップは、ｘ方向において４００ＳＰＩ、およびｙ方向において６００ＳＰＩの解像度で読み取ることができ、セル間のピッチが６３．５マイクロ・メートルの２４８個の感光性セルを付与する。これらのセルは、光生成された電子を蓄積し、信号を増幅するために組み込み一体化ハードウェアを含む。フォト−サイト又は感光性セルの第４の列が、白色光や、他の光の検出のためにチップに付加されることもある。対象の光源が連続的に照射される度に、これらの画像バー・セル（フォト−サイト）からデータが収集される。感光性セルの出力は、反射スペクトル信号を生成するために、本明細書中に引用された文献、又は本明細書中に述べられるようなスペクトル再構築アルゴリズムを用いて処理される。したがって、測定された画素はデバイス独立であってもよく、それ故に、種々の媒体、インク、又はトナーにわたって使用できる。
【特許文献１】米国特許第６，３８４，９１８  Ｂ１号明細書
【特許文献２】米国特許第６，６６３，３８２  Ｂ２号明細書
【特許文献３】米国特許第６，６３９，６６９  Ｂ２号明細書
【特許文献４】米国特許第６，３５１，３０８号明細書
【特許文献５】米国特許第６，５３８，７７０号明細書
【特許文献６】米国特許第６，６９０，４７１  Ｂ２号明細書
【特許文献７】米国特許第６，６２１，５７６  Ｂ２号明細書
【特許文献８】米国特許第６，５５６，３００号明細書
【特許文献９】米国特許第６，５６７，１７０号明細書
【特許文献１０】米国特許第６，４７３，１５４号明細書
【特許文献１１】米国特許第５，９６３，２４４号明細書
【発明の開示】
【発明が解決しようとする課題】
【００１０】
本発明の課題は、上記に鑑み、全幅アレイ分光光度計、カラー検査対象の全幅走査カラー解析の方法、および、カラー印刷シートの完全横方向走査カラー解析の方法を提供することである。
【課題を解決するための手段】
【００１１】
本明細書中の説明では、全幅アレイ走査分光光度計を提供する固有の照射光学系およびスキャナ構成を含む、本発明のシステムに独自の詳細部のみを述べる必要がある。
【００１２】
本明細書中に開示される特定の実施の形態の特徴は、印刷された印刷媒体シートの全幅走査カラー解析のための全幅アレイ分光光度計を提供することである。該分光光度計は、プリンタ用紙経路を移動する印刷された印刷媒体シートにわたって横方向に延出する横方向照射バンドを複数色の発光で連続的に照射するために該プリンタ用紙経路を横方向に実質的にわたるように、実質的に線形的に(linear dimension)十分に延出する少なくとも４色の異なる色の複数回繰り返されるパターンにおいて複数の異なる色を発光する近接配置された複数のＬＥＤ照明源を含む少なくとも１つの略線形の長形照射アレイと、複数の異なる色を発光する近接配置された複数の該ＬＥＤ照明源を含む少なくとも１つの略線形の該アレイに隣接し、該アレイに略平行に延出する複数の近接配置された複数色光検出器を含む長形アレイを含む全幅アレイ光画像化バーと、を含む。該光画像化バーは、該用紙経路を移動する該印刷媒体シートにわたって横方向に延出する該横方向照射バンドから反射された光を受光するように位置付けられる。
【００１３】
本明細書中の実施の形態に開示される更なる特徴は、個々に又は組み合わせて、プリンタ用紙経路を移動する印刷された印刷媒体用紙にわたって横方向に延出する横方向照射バンドを複数色で連続的に照射するために該プリンタ用紙経路を横方向に実質的にわたるように、実質的に線形的に十分に延出する複数の異なる色を発光する近接配置された複数のＬＥＤ照明源を含む２つの略線形のアレイを含み、複数の異なる色を発光する近接配置された複数のＬＥＤ照明源を含む２つの略線形の該アレイが、該全幅アレイ光画像化バーの反対側に取り付けられ、該用紙経路内で移動する該印刷媒体シートにわたって横方向に延出する同一の該横方向照射バンドを照射するように共に方向付けられ、および／又は、セルフォック・レンズが、該全幅アレイ画像化バーと、該用紙経路を移動する該印刷媒体のシートにわたって横方向に延出する該横方向照射バンドとの間に位置付けられ、および／又は、セルフォック・レンズが、該全幅アレイ光画像化バーと、該用紙経路を移動する該印刷媒体のシートにわたった横方向に延出する該横方向照射バンドとの間に動作可能に位置付けられ、および／又は、該全幅アレイ光画像化バーが、３列若しくは４列の異なる色のフィルタ処理された複数の近接配置された光検出器を有し、および／又は、複数の異なる色を発光する近接配置された複数のＬＥＤ照明源を含む略線形の該長形アレイが、プリンタ用紙経路を移動する印刷された印刷媒体シートにわたって横方向に延出する横方向照射バンドを複数色を発光させて連続的に照射するために該プリンタ用紙経路を横方向に実質的にわたるように、実質的に線形的に十分に延出する少なくとも４色の異なる色の複数回繰り返されるパターンであり、近接配置された複数のＬＥＤ照明源を含む略線形の該長形アレイに沿って延出する少なくとも４色の異なる色の複数回繰り返されるパターンで連続的に照射される全幅アレイ分光光度計であり、さらに／あるいは、検査対象経路内で横方向に拡張するカラー検査対象の全幅走査カラー解析のための全幅アレイ分光光度計であって、これは、少なくとも３つの異なる色の複数回繰り返されるパターンにおいて複数の異なるＬＥＤからの複数の異なる色を発光する複数の照明源を含む少なくとも１つの略線形の長形アレイを含み、照明源を含む略線形の該長形アレイが、検査対象経路を横方向にわたり、該検査対象経路の横方向照射バンドを、少なくとも３つの異なる色のＬＥＤの繰り返される該パターンにおいて連続的に照射し、複数の照明源を含む少なくとも１つの略線形の該長形アレイに平行に取り付けられる長形の光画像化バーを含み、該光画像化バーが該横方向照射バンドから反射される光を検出し、解析するように位置付けられ、および／又は、検査対象経路における横方向に延出するカラー検査対象が、電子写真カラー・プリンタ経路を移動するカラー印刷シートであり、さらに／あるいは、全幅アレイ分光光度計を備えた検査対象経路において横方向に延出するカラー検査対象の全幅走査カラー解析の方法であって、該方法は、少なくとも３つの異なる色のＬＥＤの複数回繰り返されるパターンにおける複数の異なる色を発光する近接配置された複数のＬＥＤ照明源を含む少なくとも１つの略線形の長形アレイを連続的に照射することを含み、近接配置された複数の照明源を含む略線形の該長形アレイが、少なくとも３つの異なる色のＬＥＤの繰り返される該パターンにおいて、該検査対象経路のカラー検査対象の横方向照射バンドを連続的に照射するために該検査対象経路を横方向にわたり、複数の照明源を含む少なくとも１つの略線形の該長形アレイに平行に取り付けられる長形光画像化バーで連続的に照射される該横方向照射バンドから反射された光を検出し、解析することを含み、該光画像化バーが、複数の近接配置された異なる色の光検出器を含む平行且つ対応する長形アレイを含み、さらに／あるいは、全幅アレイ分光光度計を備えたカラー・プリンタ経路を移動するカラー印刷シートの完全横方向走査型カラー解析の方法であって、該方法は、カラー・プリンタ経路を移動するカラー印刷シートにわたって横方向に延出する横方向照射バンドを複数色の発光で連続的に照射するために該カラー・プリンタ経路を横方向に実質的にわたるように、略線形的に十分に延出する異なる色の複数回繰り返されるパターンにおける、複数の異なる色を発光する近接配置された複数のＬＥＤ照明源を含む少なくとも１つの略線形の長形アレイを連続的に照射し、複数の異なる色を発光する近接配置された複数のＬＥＤ照明源を含む少なくとも１つの略線形の該アレイに隣接し、該アレイに略平行に延出する複数の近接配置された複数色光検出器を含む長形アレイを含む、全幅アレイ光画像化バーで連続的に照射されるバンドからの反射光を検出し、該画像化バーが、該用紙経路内で移動する該印刷媒体シートの全体にわたって該横方向照射バンドから反射された光を受光するように位置付けられる。
【００１４】
開示されたシステムは、従来の制御システムの適切な作用によって操作され、制御されることもできる。
【発明を実施するための最良の形態】
【００１５】
図面を参照して例示的な実施の形態をさらに詳細に説明する。図面は、全幅アレイ走査分光光度計測システム１０のための対象概念の一例を示している。走査されるドキュメント１２は、以下で更に論じられるように、両面ＬＥＤ照明器１４、１６によって照射ストリップ１２Ａ内を照射される。セルフォック・レンズ１８を、照射ストリップ１２Ａの中心領域を３列又は４列全幅アレイ（ＦＷＡ）画像センサ２０上に画像化するために、垂直に使用することができる。照明器１４、１６、レンズ１８、およびＦＷＡ画像センサ２０から構成される分光光度計画像モジュールは全体が静止していてもよい。この場合、図１（上記で引用された文献における別の例も参照）に示されるように、他の従来のカラー・プリンタの通常の用紙出力経路のような定速トランスポートを用いて、画像モジュールに対してドキュメントを移動させる。あるいは、ドキュメントが静止した状態であってもよく、この場合、多数のプラテン・ドキュメント・スキャナにおいて実行されるように、画像モジュールを定速度で移動させてもよい。
【００１６】
さらに、特許文献６に記載されているように、ＬＥＤ照明器１４、１６における４つの異なるカラー出力ＬＥＤを連続的に起動させることによって、３列又は４列画像センサ・アレイ２０を用いて８又は１２の異なるスペクトル測定値を測定できる。これらの測定値は、上記で引用された文献に記載されているアルゴリズムや、その他のものを使用して、適切なスペクトル若しくはＬ*ａ*ｂ*値に変換することができる。したがって、走査分光光度計１０は、３つの測定値のみの場合とは異なり、上記の８乃至１２の測定値のために、単純なＲＧＢスキャナと比較してより高品質なカラー情報を提供することができる。しかしながら、このＦＷＡ分光計１０は、一度の測定で読み取る単一領域、単一検査パッチのみを提供する従来の分光光度計よりはるかに高速であるかもしれない。
【００１７】
照明器は２つの線形ＬＥＤアレイ１４、１６から構成され、図示のように、それぞれセルフォック・レンズ１８および画像化バー２０の各側面上にある。（代替的に、単一の線形ＬＥＤアレイであってもよい。）３つ又は４つの異なるタイプのＬＥＤを、ＬＥＤアレイに使用することもできる。図２によれば、照明用線形アレイ１４では、４つの個別の隣接したＬＥＤ１４Ａ、１４Ｂ、１４Ｃ、１４Ｄの連続パターンが、図示を明確にするために拡大表示されている。ＬＥＤ１４Ａ、１４Ｂ、１４Ｃ、１４Ｄはそれぞれ、例えば、白色、４３０ｎｍ、５０５ｎｍ、および、５９５ｎｍのＬＥＤであってもよい。一の種類のＬＥＤのすべて（例えば、ＬＥＤ１４Ａのすべて）は、同時にオンにされることが望ましく、結果として生じる横方向に隣接した画像センサ・アレイ２０の複数の出力信号が、ほぼ同時に捕捉される。このプロセスは、検査ストリップ１２Ａの次の横の部分を次に照射するために、次のセットの白色、４３０ｎｍ、５０５ｎｍ、および５９５ｎｍのそれぞれのＬＥＤが照射され、４列の３色若しくは４色の異なる色でフィルタ処理された光検出器の次の対応するセットによって画像化アレイ２０に沿って検出されるような高速走査として迅速に繰り返されることもできる。上記したように、この線形照射アレイにおける４つのＬＥＤ照明色のうちの少なくとも１つは白色ＬＥＤからの白色でもよく、あるいは、３色の異なる色のＬＥＤのみを使用することもできる。全幅アレイの照明は、代替的に、特許文献１０（「ドキュメント・スキャナ」、キャノン社所有）に開示されているような、全幅照明器の一端で光源からの光を分割したり、拡散したりする中間型のプラスチック製の光導体の使用によって提供されることができる。上記したように、同時に選択された異なる４色のＬＥＤのセットで、４列（４色）画像センサ２０を照射すると、１２の異なる色の測定値が同時に利用できる（３列画像センサの場合、８つの測定値）。
【００１８】
図１は、照射システムのＬＥＤアレイ１４、１６の両方を示し（一般的に単一のプリント基板に取り付けられていてもよい）、これらアレイは、ともに照射している検査ストリップ１２Ａに対し約４５度で、反対の位置に向けられている。したがって、これらアレイは、ＬＥＤアレイ１４および１６の間において、セルフォック・レンズ１８内を通る検査ストリップ１２Ａから画像化アレイ２０への線形反射光の光路を垂直方向に向けることを可能にする。しかしながら、これは必ずしもＬＥＤの最も有効な、又は最適な配列ではない。代替的に、ＬＥＤからドキュメント１２に光を転送するために光導体又はレンズ配列を使用することもできる。これらの実例および詳細は、上記で引用されている文献の一部に見出すことができる。さらに、図示のような２つのＬＥＤアレイ１４および１６を使用する代わりに、蛍光照明器を使用する現在のドキュメント・スキャナで一般に実行されているように、一方ではＬＥＤアレイを使用し、他方では、反射鏡を使用することもできる。
【００１９】
ＦＷＡ走査分光光度計１０の設計速度および解像度、ならびにその構成要素は、４つのセットのＬＥＤの各セットに対し利用できる最大「オン」時間と、画像センサ・アレイ２０上の異なる列のフォト−サイトに対し利用できる最大積算時間と、を経験的に決定することになる。ＬＥＤ「オン」時間およびフォト−サイト列積算時間の両方は、８乃至１２の測定値のそれぞれに対し適切な信号を提供するために調整できる。走査分光光度計１０のｘ方向すなわち横方向の解像度は、選択された画像センサ２０の解像度、即ち、一般には１インチ（２５．４ｍｍ）当たり４００乃至６００個のサンプル又は画素によって制御される。Ｙ方向すなわち処理方向の解像度は、ドキュメント１２の速度、および、使用された異なるタイプのＬＥＤの個数によって決まることになる。
【００２０】
ちょうど通常のドキュメント画像スキャナのように、走査分光光度計１０は画素レベル利得較正およびオフセット較正を使用することもできる。利得較正は、画像センサ２０の変動とともに、ＬＥＤ照明器の空間変動を補償する。これは、各タイプのＬＥＤで実行されることになる。オフセット較正は、アレイ全体にわたって画像センサ・アレイおよび電子部品の変動を補償する。異なるタイプのＬＥＤで用いられる積算時間がかなり異なる場合、オフセット較正は、異なるタイプのＬＥＤのそれぞれに対して繰り返されることが望ましい。
【００２１】
５つのスペクトル再構築アルゴリズムの例は、特許文献１１などにも記載されている。さらに、特許文献６および特許文献７にも記載されている。スペクトル値は、各画素ごとに三色数（Ｌ*ａ*ｂ*や、ＸＹＺなど）に変換されることもできる。このようなアルゴリズムの複雑性は、その計算速度によって一般に測定される。上記された米国特許出願番号第１０／７５８，０９６号に記載されているように、適切な基準データベースが構築されるのであれば、ＤＬＳアルゴリズムが高精度を付与することができるという研究が示されている。ＤＬＳアルゴリズムは、速度を向上させるための小区画式のデータベースで使用することができる。アルゴリズムは、埋め込み式マイクロプロセッサにおいて実施することもできる。８００ＭＨｚマイクロプロセッサでは、各スペクトル再構築は、約３０ｍｓを要する。したがって、更なる速度最適化が実行でき、これは、減速した状態で良好なスペクトル精度を付与する可能性が高い。
【００２２】
基準データベースは、本発明の分光光度計と同様の技術を使用して走査分光光度計のそれぞれに対し構築され、カスタマイズされることもできる。基準データベースを構築する一方で、正確な基準分光光度計が、提案されたＬＥＤ走査分光光度計を特徴付けるために使用されることもできる。
【００２３】
カラー技術者にとっては明らかであるように、こうしたＦＷＡ走査形分光光度計のスペクトル測定値は、１つ以上のカラー・プリント・エンジンの色のより良い診断および制御のために使用することができる。実例として、以下が含まれる。
（１）出力エンジン・ページ不均一性測定値およびそれらの修正。
（２）米国出願番号第１０／３４２，８７３号（ヴァン・ド・カペルら、「処理オーバーヘッドの減少および画質の向上を達成するために、高解像度量子化ハーフトーン・アレイを使用する、反復プリンタ制御／カラー・バランスのシステムおよび方法」、２００３年１月１５日出願、ゼロックス社所有）に記載されているような、ハーフトーン・アレイの微細量子化による空間的グレイ・バランス（より平滑な色調低下、色調の現像における解像度改善、輪郭独立較正）。
（３）遠隔診断。
（４）装置および媒体に依存しない画像の遠隔ソフト校正。
【００２４】
上記に加えて、現在の別の問題に対処することもできる。既に述べたように、ユーザは、写真式オフセット・インクジェット・プリンタからのプリントを検査することによって所与の走査を処理するための正確なプロファイルを選択する際に間違うことがある。不正確なスキャナ・プロファイルを選択する場合に、かなり多くの誤差が生じる可能性がある。その一方で、対象のＦＷＡ走査分光光度計は、すべての印刷媒体や、インクなどに対する１つのプロファイルを含むように設計されることもある。正確なプロファイルが選択されている場合でさえ、カラー補正における好ましくない誤差を生じさせるために充分な変動を、所与の媒体クラス内においても、入力マテリアルが有する場合がある。後者の一例として、媒体が写真であることが知られている場合、スキャナの応答は印刷媒体のソースによって大きく変動する可能性があり（例えば、コダック対富士写真フイルム）、同じソース内でバッチ間変動することもある。異なるプリント見本のための異なる検査オブジェクト（即ち、リソグラフィック印刷用の検査オブジェクト１、電子写真印刷用の検査オブジェクト２など）を作成し、正確なプロファイルを形成する、単調且つ時間のかかるプロセスが回避され、したがって、カスタマーの生産性を確保する。
【００２５】
図３は、異なる色の検査パッチ３１の列、および、タイミング／トリガー指示マーク３３を備えたカラー・プリンタで印刷された検査オブジェクト３０のシート１２の単なる一例を示す。図１で示されるように、全幅検査オブジェクト３０として印刷されるこのシート１２は、ＦＷＡ分光光度計１０に対して矢印４０の方向に、あるいはまた、その反対方向に移動できる。上記で引用された特許文献において示される検査シートと比較すると、同じ検査シートではるかに多くのカラー試験が実行できるので、使用される検査シートはずっと少なくてよい。これは、色の再測定、異なるプリント・ジョブや異なる印刷媒体、あるいは、動作中の機械パラメータの変動に対して印刷の中断を軽減させることもできる。しかしながら、本発明のシステムは、こうした検査シートでの使用に限定されない。
【００２６】
種々の上記の開示、他の特徴や機能、又は、これらの代替物が他の多くの異なるシステムやアプリケーションに望ましく組み合わされることは理解されるだろう。さらに、種々の現在では予測できない、又は予期しない代替物、修正変更、変動、若しくは改善が、添付した特許請求の範囲によって包含されることも、意図された当業者によって、今後実行され得ることも理解されるだろう。
【図面の簡単な説明】
【００２７】
【図１】電子写真プリンタの出力経路で印刷シートを走査している状態を示す、対象全幅走査分光光度計の一例を示す概略側面図である。
【図２】印刷シート又は他のカラー検査オブジェクトが存在しない、図１の走査分光光度計の平面図である。
【図３】図１および図２の全幅走査分光光度計で使用できる複数の異なる色の検査パッチを備えた印刷検査シートの一例である。
【符号の説明】
【００２８】
１０    分光光度計測システム
１２    ドキュメント
１２Ａ  照射ストリップ
１４    照明器
１６    照明器
１８    レンズ
２０  画像センサ
【図１】
2005315883.tif 000003
【図２】
2005315883.tif 000004
【図３】
2005315883.tif 000005